(57)【特許請求の範囲】
【請求項１】
手で持つことができるような把持部を有する脱毛装置の上端開口部に、開閉して毛を掴む複数の爪を備えて回転又は回動によって毛を引き抜くための脱毛手段を備えた回転シリンダーを配設し、該回転シリンダーの回転中心を構成する軸の両端部を支持部で回転自在に支持し、少なくとも一方の支持部を軸の軸線方向に移動自在として軸における端部の回転保持が解除されることにより回転シリンダーを脱毛装置に対して着脱自在として成ることを特徴とする脱毛装置。
【請求項２】
回転シリンダーを脱毛装置より離脱させた状態で脱毛手段による毛を把持する把持力が解除されることを特徴とする請求項１記載の脱毛装置。
【発明の詳細な説明】
【０００１】
【発明の属する技術分野】
本発明は、美容などの目的のために体毛を除去するのに使用される脱毛装置に関するものである。
【０００２】
【従来の技術】
従来から、美容などの目的のために体毛を除去するのに使用される脱毛装置として特開平２−３６８５７号公報が知られている。この特開平２−３６８５７号公報に示された従来例は、カバー、回転軸、端板、脱毛手段を有する脱毛ローラ（回転シリンダー）からなる脱毛ヘッドがケーシングに対して着脱自在なものであるが、この従来例の場合、脱毛ローラは脱毛ヘッド内に固定されているため、脱毛ローラ周辺に付着した毛屑を掃除することが難しく、また、毛を把持したまま停止した状態でその毛を除去することは難しく、不潔になりやすいという問題があった。
【０００３】
一方、特開平３−１７８６０３号公報に示された従来例のように、脱毛要素が弾性体からなっていて脱毛装置に対して着脱自在のものがある。この従来例においては脱毛要素が弾性変形が容易なために着脱が可能となっているので、脱毛要素が弾性体からなることが要件であり、このため、この従来例の技術からは脱毛要素が剛体で且つ直線の回転軸を有する回転シリンダーにおいては脱毛装置から着脱するものを実現することはできない。
【０００４】
【発明が解決しようとする課題】
本発明は上記の点に鑑みてなされたものであり、回転シリンダーを単独で取り外すことができて掃除性を向上させ、常に清潔に使用できる脱毛装置を提供することを課題とするものである。
【０００５】
【課題を解決するための手段】
上記課題を解決するために本発明に係る脱毛装置は、手で持つことができるような把持部を有する脱毛装置の上端開口部に、開閉して毛を掴む複数の爪を備えて回転又は回動によって毛を引き抜くための脱毛手段を備えた回転シリンダーを配設し、該回転シリンダーの回転中心を構成する軸の両端部を支持部で回転自在に支持し、少なくとも一方の支持部を軸の軸線方向に移動自在として軸における端部の回転保持が解除されることにより回転シリンダーを脱毛装置に対して着脱自在として成ることを特徴とするものである。このような構成とすることで、脱毛シリンダーが独立して脱毛装置に対して着脱自在となり、しかも、取り外しに当っては、回転シリンダーの軸の端部を支持する支持部を軸の軸線方向に移動するという構成で回転シリンダーを脱毛装置から取り外すことができ、肌と接する脱毛シリンダーを隅々まできれいに掃除することができるものである。
【０００６】
また、回転シリンダーを脱毛装置より離脱させた状態で脱毛手段による毛を把持する把持力が解除されることが好ましい。このような構成とすることで、回転シリンダーを脱毛装置から取り外して掃除する際に、毛を把持したまま掃除できないという不都合がないものである。
【０００７】
【発明の実施の形態】
以下、本発明を添付図面に示す実施形態に基づいて説明する。
【０００８】
本発明の脱毛装置は手で把持できる本体ケーシング１に毛を除毛するための脱毛手段を有する脱毛ヘッド２を備えたものであり、本体ケーシング１には駆動源であるモータ３が内蔵してあり、脱毛ヘッド２には脱毛手段を回転自在に備えた回転シリンダー４が取付けてある。回転シリンダー４に設けた脱毛手段は開閉して毛を把持する複数の爪５を備えていて回転により毛を把持して引き抜くように構成してあり、モータ３の回転を駆動伝達手段により回転シリンダー４に伝達して回転シリンダー４を回転することで、脱毛手段により毛を把持して引き抜くようになっている。そして、本発明においては、駆動源であるモータ３から回転シリンダー４に駆動伝達するための駆動伝達手段である歯車列の途中にモータ３側を回転シリンダー４側に対して封水するための防水部材６を設け、モータ３側に毛や皮脂や水が入らないような構造、特に、モータ３側に水が入らないような防水構造とすることで水洗いが可能なようになっている。また、本発明においては後述するように回転シリンダー４を脱毛装置から取り外して回転シリンダー４単体として掃除できるように構成してある。
【０００９】
まず、図１乃至図１０に基づいて本発明の一実施形態につき説明する。図１、図３、図４、図５に示すように、本体ケーシング１は前後に２つ割りした半割ケーシング７を合着して構成してあり、本体ケーシング１は上端が開口したもので、モータ３や駆動伝達手段である歯車列を内蔵した基台８が本体ケーシング１内に内装してあり、さらに、本体ケーシング１内にモータ３を駆動するための乾電池又は充電器９を内装してある。
【００１０】
基台８の上面部は本体ケーシング１の上端開口を塞いでおり、この基台８の上面部にフック取付け部１０が設けてあり、脱毛ヘッド２の下面部に設けた一対のフック１１をフック取付け部１０に着脱自在に取付けることで本体ケーシング１に対して脱毛ヘッド２を着脱自在に取付けることができるようにしている。
【００１１】
基台８は複数の分割された基台を組み合わせて構成してあり、本実施形態においては、基台８がモータ３を内装するモータ内装用基台１２と、モータ３をカバーするためのモータカバー用基台１３と、モータカバー用基台１３の外側方において歯車列をカバーするための歯車カバー基台１４と、モータ内装用基台１２とモータカバー用基台１３と歯車カバー基台１４との上部を覆う上基台１５とで構成してある。
【００１２】
モータ内装用基台１２は図５に示すように、コ字状をしたモータ内装部１２ａと、モータ内装部１２ａの上面部の一端部から上方に突出した上向き突片１２ｂとで構成してあり、上向き突片１２ｂに係止部１２ｃが設けてある。コ字状をしたモータ内装部１２ａには側方の開口からモータ３が嵌め込まれて内装され、コ字状をしたモータ内装部１２ａの側方開口部にモータカバー用基台１３を取付け、更に、モータカバー用基台１３の外側に歯車カバー基台１４を取付けてあり、モータカバー用基台１３と歯車カバー基台１４とに囲まれた空所が歯車列内装部１６となっており、モータ内装部１２ａと歯車列内装部１６とがモータカバー用基台１３により仕切ってある。
【００１３】
モータ内装部１２ａに内装されたモータ３の出力軸３ａが仕切りであるモータカバー用基台１３の孔１３ａを貫挿して歯車列内装部１６内に突出しており、この出力軸３ａの歯車列内装部１６内に突出した部分にピニオン１７が固着してある。モータ内装部１２ａ内には複数の減速歯車１８、１９が設けてある。減速歯車１８、１９はいずれも大歯車１８ａ、１９ａと小歯車１８ｂ、１９ｂとよりなるもので、各減速歯車１８、１９の軸１８ｃ、１９ｃの両端部がそれぞれモータカバー用基台１３と歯車カバー基台１４に設けた孔に軸支してある。減速歯車１８の大歯車１８ａがピニオン１７に噛み合っており、減速歯車１８の上方に減速歯車１９が配置してあり、減速歯車１８の小歯車１８ｂに減速歯車１９の大歯車１９ａが噛み合っている。減速歯車１９の大歯車１９ａと小歯車１９ｂとの間には小歯車１９ｂと同径かまたは大径のボス１９ｄが設けてある。
【００１４】
歯車カバー基台１４には突出壁１４ａが突設してあって、歯車カバー基台１４内を突出壁１４ａにより下凹所１４ｅと上凹所１４ｄとに仕切ってある。
【００１５】
上基台１５は外形が本体ケーシング１の上端開口とほぼ同じ形状をしており、外周部に第２の防水部材嵌め込み溝部１５ａが形成してあって、この第２の防水部材嵌め込み溝部１５ａにリング状をした弾性を有する第２の防水部材２３の内側半部が嵌め込まれる。図５に示すように、上基台１５の一側部に開口部１５ｂが設けてあり、上基台１５の下面部には開口部１５ｂを挟んで外側に固定片１５ｃを垂設すると共に内側に垂下壁１５ｄを垂設してある。また、上基台１５の下面部の固定片１５ｃを垂下した方の端部と反対側の端部には被係止部１５ｆが形成してある。また、上基台１５の上面部中央部には上方に向けてトンネル通路を有するトンネル用突部１５ｇが突設してあり、トンネル用突部１５ｇの上面部の中央部には孔１５ｈが設けてあり、トンネル用突部１５ｇの上面部のトンネル通路と直交する方向の両端部には上方に向けて支持突片１５ｉが突設してある。また、開口部１５ｂ内には出力用歯車２０が配置してあって、出力用歯車２０の軸２０ａが開口部１５ｂの両内壁部に軸支してある。
【００１６】
モータ内装用基台１２の下端部とモータカバー用基台１３の下端部と歯車カバー基台１４の下端部とをそれぞれの下端部に設けた孔に歯車カバー基台１４側からねじ具２１を挿入して固着する。また、モータ内装用基台１２の上端部とモータカバー用基台１３の上端部と歯車カバー基台１４の上端部とにわたるように上基台１５が配置され、モータ内装用基台１２に設けた係止部１２ｃに上基台１５に設けた被係止部１５ｆを係止し、更に、上基台１５の固定片１５ｃを歯車カバー基台１４の位置決め凹部１４ｆに嵌め込んで位置決めした状態で歯車カバー基台１４と固定片１５ｃとをねじ具２１により固定する。
【００１７】
ここで、本発明においては、駆動伝達手段である歯車列の途中にゴムのような弾性体により構成した防水部材６を設けて上基台１５の開口部１５ｂから入った毛や皮脂や水がモータ３側に入るのを防止するようになっている。
【００１８】
防水部材に設けた環状体６ａの孔を減速歯車１９のボス１９ｄに水密的に嵌め込んであり、垂下壁１５ｄと、突出壁１４ａと、垂下壁１５ｄの下端部と突出壁１４ａの先端部との間に介在される防水部材６とで減速歯車１９のボス１９ｄ部分を境界として歯車列内装部１６内がモータ３側と開口部１５ｂ側とに水密的に仕切られることになる。そして、減速歯車１９の大歯車１９ａが下凹所１４ｅと連通した空所に位置し、減速歯車１９の小歯車１９ｂが上凹所１４ｄ内に位置して開口部１５ｂの直下に位置し、開口部１５ｂに配設した出力用歯車２０と噛み合っている。したがって、開口部１５ｂから入った毛や皮脂や水は防水部材６によりそれ以上内部に入るのが防止されることになる。
【００１９】
上記のようにモータ３と歯車列を内蔵した基台８を２つ割りの本体ケーシング１内に内装するには以下のようにして行われる。
【００２０】
半割ケーシング７の内面部の上部には内面部の横方向にわたって第２の防水部材嵌め込み溝部７ａが形成してあり、更に半割ケーシング７の合わせ部分に沿ってＵ字状に第３の防水部材嵌め込み溝部７ｂが形成してあり、Ｕ字状をした第３の防水部材嵌め込み溝部７ｂの両上端部が第２の防水部材嵌め込み溝部７ａの下端に連通している。前後に対向する半割ケーシング７を合着する際前後に対向する第３の防水部材嵌め込み溝部７ａに第３の防水部材２２の前側半部と後側半部とを嵌め込んで合せた状態でねじ具により両半割ケーシング７を合着して本体ケーシング１を構成するのであるが、この場合、モータ３と歯車列を内蔵した基台を内部に配置し、上基台１５の外周部に取付けている第２の防水部材２３の外側半部を両半割ケーシング７の第２の防水部材嵌め込み溝部７ａに嵌め込み、Ｕ状をした第３の防水部材２２の両上端部をそれぞれ第２の防水部材２３の下端面に押接してあって第３の防水部材２２と第２の防水部材２３とで半割ケーシング７の合着部分及び本体ケーシング１の内面部と上基台１５の外周面部との間の封水を連続して行っている。
【００２１】
このような構成とすることで、基台を内装した本体ケーシング１内には上基台１５に設けた開口部１５ｂ以外は内部に連通する部分は無く、しかも基台８内において開口部１５ｂの近傍で防水部材６によりそれ以上モータ３側に毛や皮脂や水等が入らないようになっている。
【００２２】
ここで、基台は上記のように上基台１５の外周部分を弾性を有する第２の防水部材２３により本体ケーシング１に弾性的に支持してあるが、基台（モータ内装用基台１２）の下面部は更に半割ケーシング７内に設けたばね支持部７ｃに支持したばね材２４により弾性的に支持してあり、また、半割ケーシング７内の第２の防水部材嵌め込み溝部１５ａよりも下方に設けた突起７ｄにコ字状をした支持枠２５の孔２５ａを嵌め込むことで支持枠２５を一方の半割ケーシング７の内部に取付けてあり、コ字状の支持枠２５の両側片にＵ字状をした切り込み溝部を形成して切り込み溝部に囲まれた部分に弾性を有する連結片２５ｂが形成してあり、この連結片２５ｂに設けた孔を歯車カバー基台１４とモータ内装用基台１２の外面にそれぞれ設けた取付け突起１４ｈに嵌め込んで取付けてあり、これにより第２の防水部材２３とばね材２４との間で更に基台８を本体ケーシング１に対して弾性的支持してある。これによりモータ３を内装した基台８が弾性を有する第２の防水部材２３とばね２４と連結片２５ｂを有する支持枠２５により弾性的に支持してあって、モータ３の振動が本体ケーシング１側に伝わりにくくしてある。
【００２３】
上基台１５の上面部の両側にはスライド自在にスライド枠２６が配置してあり、平面視略矩形をしたスライド枠２６の外側片部から外側方に向けて操作部２６ａが突設してあり、スライド枠２６の内側片部の内面に支持フック２６ｂが突設してあり、更にスライド枠２６の内側片部の上面にストッパ用突部２６ｃが上方に向けて突出してある。
【００２４】
図１に示すように、両スライド枠２６の内側部分をトンネル用突部１５ｇのトンネル通路内にスライド自在に嵌め込み、ストッパ用突部２６ｃをトンネル用突部１５ｇの上面部に設けた孔１５ｈ内にスライド自在に嵌め込んであって、ストッパ用突部２６ｃが孔１５ｈの縁に当たることでスライド枠２６が抜けないようになっている。トンネル用突部１５ｇのトンネル通路内において両スライド枠２６間にスプリング２６ｄが介装してあって、スプリング２６ｄにより両スライド枠２６を外側に向けて弾性付勢している。そして、トンネル用突部１５ｇと両スライド枠２６とでフック取付け部が構成してある。また、両スライド枠２６の操作部２６ａは本体ケーシング１に設けた孔７ｅにはめ込まれて本体ケーシング１より外側方に突出させてある。
【００２５】
脱毛ヘッド２は図１、図２、図６に示すように、脱毛手段を備えた回転シリンダー４と、シリンダー取付け基台２７と、シリンダーカバー２８と、カム２９と、保持ばね３０と、ヘッドフレーム３１とで構成してある。
【００２６】
回転シリンダー４は図７に示すように、円周方向に複数箇所（実施形態では３６°の間隔を置いて１０箇所）の凹部４ａが形成してある。凹部４ａの両端部にはそれぞれ固定爪５ｂが突出してあり、この凹部４ａの両端部に突設した固定爪５ｂには孔５ｂ１が形成してある。また、凹部４ａ内には脱毛用主体ユニット３２が嵌め込んである。
【００２７】
脱毛用主体ユニット３２は支点板３３と、複数（実施形態では４枚）の可動爪５ａと、支点止め部材３４と、ばね受け部材３５と、伝達レバー３６と、ばね３７とで構成してある。支点板３３は中央部にばね受け嵌め込み用角孔３３ａを設け、両側にリブ嵌め込み用角孔３３ｂを設け、ばね受け嵌め込み用角孔３３ａと両リブ嵌め込み用角孔３３ｂとの間と、両リブ嵌め込み用角孔３３ｂの各外方にそれぞれ可動爪嵌め込み用角孔３３ｃが形成してある。
【００２８】
支点止め部材３４は中央部にばね受け嵌め込み孔３４ａが設けてあり、ばね受け嵌め込み孔３４ａの両側から上方に固定爪５ｂが突設してあり、また、支点止め部材３４の下面部の両側にはそれぞれ２個で一組となったリブ３４ｂが下方に向けて垂設してあり、リブ３４ｂには長孔３４ｃが設けてある。また、支点止め部材３４には長手方向に孔３４ｄが設けてある。そして、この支点止め部材３４は両側の２個で一組みとなったリブ３４ｂを支点板３３の両側のリブ嵌め込み用角孔３３ｃに嵌め込んである。
【００２９】
ばね受け部材３５には上部に孔３５ａが設けてあり、また、下部にばね挿入孔３５ｂが設けてある。そして、ばね受け部材３５が支点止め部材３４のばね受け嵌め込み孔３４ａ、支点板３３のばね受け嵌め込み用角孔３３ａに嵌め込んである。また、可動爪５ａには孔５ａ１が設けてあり、４枚の可動爪５ａのうち２枚の可動爪５ａが支点止め部材３４に突設した固定爪５ｂとばね受け部材３５との間からばね受け嵌め込み孔３４ｂに挿入して、更に、支点板３３のばね受け嵌め込み用角孔３３ａの両側の可動爪嵌め込み用角孔３３ｂに挿入してある。また、他の２枚の可動爪５ａは支点板３３の両端部の可動爪嵌め込み用角孔３３ｂに嵌め込んである。また、２個で一組となったリブ３４ｂにはそれぞれ伝達レバー３６の上部の突片３６ａが嵌め込んであって突片３６ａに設けた係合突部３６ｂがリブ３４ｂの長孔３４ｃにスライド自在に係合してあって、一方の伝達レバー３６が一側の２枚の可動爪５ａの下部間に介在され、他方の伝達レバー３６が他側の２枚の可動爪５ａの下部間に介在してある。また、ばね受け部材３５に設けたばね挿入孔３５ｂに挿入したばね３７が中央部の両可動爪５ｂの下部内面に弾接している。
【００３０】
上記のようにして脱毛用主体ユニット３２が一つのユニットとして組み立ててある。そして、この脱毛用主体ユニット３２を回転シリンダー４の各凹部４ａに嵌め込み、凹部４ａの一方の端に設けた固定爪５ｂに設けた孔５ｂ１から軸４９を挿入し、支点止め部材３４の孔３４ｄ、４枚の可動爪５ａの各孔５ａ１，ばね受け部材３５の孔３５ａを挿通し、該軸４９の先端部を凹部４ａの他端の固定爪５ｂの孔５ｂ１に嵌め込んで凹部４ａに脱毛用主体ユニット３２を取付けてある。
【００３１】
回転シリンダー４の軸方向の両端面部には図７に示すように周方向に複数の孔４ｃが形成してあり、回転シリンダー４の軸方向の一端面部に設けた複数の孔４ｃに周方向に開閉レバー３８と開閉レバー３９とが交互に挿入してあり、開閉レバー３８の端部の押圧部３８ａは開閉レバー３９の端部の押圧部３９ａよりも回転シリンダー４の径方向の内側にずれて位置しており、図６に示すように径方向にずれている押圧部３８ａ、３９ａとが周方向において押圧部３８ａの両端部がそれぞれ押圧部３９ａの端部と重なっている。
【００３２】
また、回転シリンダー４の軸方向の他端面部に設けた複数の孔４ｃに周方向に開閉レバー３９と開閉レバー３８とが前述と同様にして交互に挿入してある。そして、一端面側の孔４ｃに挿入した開閉レバーとこの孔４ｃと対向する他端面側の孔４ｃに挿入した開閉レバーとは一方側が開閉レバー３８となっていると、他方側が開閉レバー３９となるような関係となっている。
【００３３】
添付図面に示す実施形態においては、回転シリンダー４の周方向に設けた凹部４ａが軸方向において交互にずれて形成してあるため、開閉レバー３９は開閉レバー３８よりも長さが短くなっている。両側の開閉レバー３８、３９の端部はそれぞれ凹部４ａにはめ込んだ脱毛用主体ユニット３２の両伝達レバー３６の外側端部に接している。そして、開閉レバー３９を外側から押す力が作用しない状態では、ばね３７のばね力により中央の２つの可動爪５ａの下部が外側に押され、これにより両伝達レバー３６が外側に押され、これにより外側の２つの可動爪５ａの下部がそれぞれ外側に押される。このように、中央の２つの可動爪５ａの下部が外側に押されることで該中央の２つの可動爪５ａが支点板３３の可動爪嵌め込み用角孔３３ｃの孔縁を支点として回動して支点止め部材３５に設けた固定爪５ｂから離れ、また、両外側の可動爪５ａの下部が外側が押されることで両側の２つの可動爪５ａが支点板３３の可動爪嵌め込み用角孔３３ｃの孔縁を支点として回動して回転シリンダー４に設けた固定爪５ｂから離れるようになっている。
【００３４】
回転シリンダー４の中央部には孔が設けてあって該孔に図６に示すように軸４ｂが挿入してある。
【００３５】
シリンダー取付け基台２７の一側部には突出支持部２７ａが着脱自在に取付けてある。突出支持部２７ａをシリンダー取付け基台２７に着脱自在に取付けるにあたっては、図９、図１０に示すようにシリンダー取付け基台２７の一側部に係止ガイド部２７ｊを設け、突出支持部２７ａの下部両側に設けた係止嵌め込み部２７ｋを係止ガイド部２７ｊにスライド自在に係止することで、突出支持部２７ａがシリンダー取付け基台２７に対して側方（軸４ｂの軸線方向）にのみ移動して着脱して分離できるように構成してある。シリンダー取付け基台２７の他端部にはシリンダーカバー２８がねじにより固着されるものである。シリンダー取付け基台２７の一側にスライド自在に嵌め込んで取付けた突出支持部２７ａとシリンダーカバー２８に設けた突出支持部２８ａとにはそれぞれ軸孔部２７ｂ、２８ｂが設けてあり、上記シリンダー４の軸４ｂの両端部が軸孔部２７ｂ、２８ｂに軸支してある。
【００３６】
図６に示すように、突出支持部２７ａ、２８ａにはそれぞれ角孔状をしたカム挿入孔２７ｃ、２８ｃが形成してあり、カム挿入孔２７ｃ、２８ｃの上下縁部に軸支持溝２７ｄ、２８ｄが形成してある。そして、カム２９を構成するローラがそれぞれカム挿入孔２７ｃ、２８ｃに嵌め込まれ、各ローラに挿入したローラ軸２９ａの上下両端部が軸支持溝２７ｄ、２８ｄに嵌め込み支持してあり、ローラは水平回転をするようになっている。ここでローラの一部はカム挿入孔２７ｃ、２８ｃから内側に突出している。
【００３７】
突出支持部２７ａ、突出支持部２８ａの外側下部には保持ばね嵌め込み溝部２７ｅ、２８ｅが設けてあり、保持ばね嵌め込み溝部２７ｅ、２８ｅにそれぞれ保持ばね３０のＵ字状をした下部が嵌め込んで支持してあり、Ｕ字状部分に設けた係止突片部３０ａが保持ばね嵌め込み溝部２７ｅ、２８ｅに設けた係止孔部２７ｆ、２８ｆに係止して取付けてある。保持ばね３０の上部には孔部３０ｂが形成してあり、この孔部３０ｂの上下縁部によりローラ軸２９ａの上下両端部を弾性的に押圧しており、孔部３０ｂを設けることでローラがこの孔部３０ｂに対応して保持ばね３０に接触しないようになっている。また、突出支持部２７ａ、突出支持部２８ａの下部の保持ばね嵌め込み溝部２７ｅ、２８ｅよりも更に外側に突片が上方に向けて突出してあって該突片にそれぞれ引っ掛け係止孔２７ｍ、２８ｍが設けてある。
【００３８】
シリンダー取付け基台２７の下面部には回転シリンダー４の軸４ｂと平行な方向の両側にそれぞれ対向するように一対のフック１１が下方に向けて突出しており、シリンダー取付け基台２７の回転シリンダー４の軸４ｂと直交する方向の両側部には嵌め込み凹部２７ｈが形成してある。また、シリンダー取付け基台２７の突出支持部２７ａを突出した方と反対側の端部には凹欠部２７ｉが設けてあり、この凹欠部２７ｉ内に駆動用歯車４０が配置してあり、この駆動用歯車４０の軸の両端部がシリンダー取付け基台２７とシリンダーカバー２８とに軸支してあり、駆動用歯車４０の上部は回転シリンダー４に設けた歯車４１に噛み合っている。シリンダー取付け基台２７とシリンダーカバー２８とを回転シリンダー４を取付けた状態で組み合わせて固着し、この状態でヘッドフレーム３１を着脱自在に被せて取付けることで脱毛ヘッド２を構成してある。
【００３９】
ここで、ヘッドフレーム３１を着脱自在に取付けるにはヘッドフレーム３１の内部の両側寄りに下端に係止爪部３１ａを有する係止脚３１ｂを設け、突出支持部２７ａ、突出支持部２８ａの下部外側に設けた引っ掛け係止孔２７ｍ、２８ｍに着脱自在に引っ掛け係止してある。ヘッドフレーム３１を被せて取付けた状態ではシリンダー取付け基台２７に対して一側方にスライド自在に取付けた突出支持部２７ａがヘッドフレーム３１により側方への動きが規制されてシリンダー４の軸４ｂの端部が軸孔部２７ｂに軸支された状態が保持されるように構成してある。この場合シリンダー４の軸４ｂの他端部は軸支部２８ｂに軸支される。一方、ヘッドフレーム３１を外すと突出支持部２７ａが一側方にスライドすることが可能となるため、突出支持部２７ａをシリンダー取付け基台２７に対して一側方にスライドさせ、これにより軸支部２７ｂがシリンダー４の軸４ｂから脱離する。その後、軸４ｂを軸支部２８ｂから抜くと、シリンダー４を脱離することができるようになっている。
【００４０】
上記の構成の脱毛ヘッド２は本体ケーシング１に対して着脱自在に取付けられるものである。脱毛ヘッド２の取付けに当たっては、操作部２６ａを押した状態で脱毛ヘッド２の下面の一対のフック１１をそれぞれ両スライド枠２６の矩形状をした開口内に嵌め込み、この状態で操作部２６ａの押圧を解除することでスプリング２６ｄのばね力により両スライド枠２６を外側に移動させて支持フック２６ｂを上記フック１１に係止することで取付けるものである。この場合、トンネル用突部１５ｇに突設した一対の支持突片１５ｉがシリンダー取付け基台２７の嵌め込み凹部２７ｈに嵌め込んであって脱毛ヘッド２が本体ケーシング１にがたつくことなく確実に取付けられるようになっている。このように脱毛ヘッド２を本体ケーシング１に対して取付けた状態では駆動用歯車４０と出力用歯車２０とが噛み合うことになり、したがって、モータ３の回転を歯車列を介して回転シリンダー４に設けた歯車４１に伝達して回転シリンダー４を回転するようになっている。
【００４１】
一方、脱毛ヘッド２を取り外すに当たっては、上記と逆に操作部２６ａを押すことで支持フック２６ｂをフック１１から外すことができるので、この状態で脱毛ヘッド２を引き離すことで取り外すことができるものである。
【００４２】
しかして、脱毛ヘッド２を本体ケーシング１に取付けた状態で人体の毛を脱毛するものであるが、脱毛は以下のようにして行われる。
【００４３】
すなわち、モータ３を回転することで、ギア列を介して回転シリンダー４を回転する。回転シリンダー４が回転して、開閉レバー３８、３９の押圧部３８ａ、３９ａがカム２９を構成するローラに当たる位置に来ると、ローラにより開閉レバー３８、３９をばね３７に抗して内側に押し、開閉レバー３８、３９の先端部により外側の可動爪５ａの下部を内側に押すと共に該外側の可動爪５ａの下部を介して伝達レバー３６を内側に押して移動させて内側の可動爪５ａの下部を内側に押す。このようにして４枚の可動爪５ａの下部が内側に押されることで可動爪５ａが回動して可動爪５ａの上部がそれぞれ固定爪５ｂに押し当たることになり、可動爪５ａと固定爪５ｂとの間に導入された毛が把持されることになる。そして、この毛を把持した状態で回転シリンダー４が回転することで毛を引き抜くものである。回転シリンダー４の回転により次の開閉レバー３８、３９がローラの所に至ってローラにより押圧されて上記と同様に毛を把持して引き抜くものである。
【００４４】
ここで、図６に示すように、周方向に一つ置きに設けた開閉レバー３８の押圧部３８ａの両端部が開閉レバー３９の押圧部３９ａの端部と周方向において重なっているので、毛を把持するのに寄与した開閉レバーの押圧部の回転方向の後端部をローラで押圧しているとき、次の開閉レバーの押圧部の前端部がローラで同時に押圧されることになり、このため、爪５を回転シリンダー４の周方向に複数配置しても毛を把持して引き抜く距離を長くとることができるものである。
【００４５】
ところで、掃除をする場合には前述のように防水部材６、第２の防水部材２３、第３の防水部材２２を設けることにより駆動源であるモータ３側に毛や皮脂や水が入らないような防水構造としてあるので、水洗いにより掃除をすることができるが、回転シリンダー４部分に付着した毛をより効果的に除去するために、回転シリンダー４部分を脱毛装置から取り外して掃除するものである。すなわち、脱毛装置の脱毛ヘッド２のヘッドフレーム３１を外して、図１０に示すように突出支持部２７ａをシリンダー取付け基台２７に対して一側方にスライドして脱離させて回転シリンダー４の軸４ｂの端部の回転保持をしている軸支部２７ｂを軸４ｂから脱離し、更に、シリンダー４の軸４ｂの他端部を軸支部２８ｂから抜くことで、回転シリンダー４を脱離し、このようにして脱毛装置から外した回転シリンダー４を単独で掃除することで、回転シリンダー４に付着した毛などを簡単且つ綺麗に隅々まで掃除できるものである。上記のように回転シリンダー４を脱毛装置から外した状態ではカム２９による押圧が解除されるので、脱毛手段を構成する可動爪５ａと固定爪５ｂとによる毛を把持する把持力が解除されることになり、これにより回転シリンダー４を脱毛装置から脱離して掃除する際に、毛を把持したまま掃除できないという不都合がないものである。
【００４６】
【発明の効果】
上記のように本発明の請求項１記載の発明にあっては、手で持つことができるような把持部を有する脱毛装置の上端開口部に、開閉して毛を掴む複数の爪を備えて回転又は回動によって毛を引き抜くための脱毛手段を備えた回転シリンダーを配設し、該回転シリンダーの回転中心を構成する軸の両端部を支持部で回転自在に支持し、少なくとも一方の支持部を軸の軸線方向に移動自在として軸における端部の回転保持が解除されることにより回転シリンダーを脱毛装置に対して着脱自在としたので、脱毛シリンダーが独立して脱毛装置より着脱自在となり、しかも、取り外しに当っては、回転シリンダーの軸の端部を支持する支持部を軸の軸線方向に移動するという簡単な構成で回転シリンダーを脱毛装置から分離することができるものであって、構造を簡略化できるものであり、このように着脱自在とすることで、肌と接する脱毛シリンダーを脱毛装置から脱離して隅々まできれいに掃除することができて清潔にできるものであり、また、脱毛手段に不具合が生じて交換修理が必要な場合、脱毛ヘッドごと交換する必要がなくて脱毛シリンダーという必要最小限の部分の修理または交換ですますことができ、使用者にとって修理費用が低価格ですむと同時に、修理の手間及び修理に要する時間が大幅に削減できるものである。
【００４７】
また、請求項２記載の発明にあっては、上記請求項１記載の発明の効果に加えて、回転シリンダーを脱毛装置より離脱させた状態で脱毛手段による毛を把持する把持力が解除されるので、回転シリンダーを脱毛装置から取り外して独立して掃除できるのみならず、回転シリンダーを脱毛装置から脱離して掃除する際に、毛を把持したまま掃除できないという不都合がなくて快適に掃除できるものである。
【図面の簡単な説明】
【図１】  本発明の脱毛装置の一実施形態の正面断面図である。
【図２】  同上の平面図である。
【図３】  同上のモータ部分で断面にした側面断面図である。
【図４】  同上の防水部材部分で断面にした側面断面図である。
【図５】  同上の本体ケーシング部分の分解斜視図である。
【図６】  同上の脱毛ヘッドの分解斜視図である。
【図７】  同上の回転シリンダー部分の分解斜視図である。
【図８】  同上の本体ケーシングから脱毛ヘッドを外した状態の正面断面図である。
【図９】  同上の回転シリンダーを取り外す構造を示すもので、（ａ）は正面断面図であり、（ｂ）は側面断面図である。
【図１０】  同上の回転シリンダーを取り外す説明図である。
【符号の説明】
１  本体ケーシング
２  脱毛ヘッド
３  モータ
４  回転シリンダー
４ｂ  軸
５  爪
２７ｂ  軸孔部
２８ｂ  軸孔部
３１  ヘッドフレーム
【図１】
0003885443.tif 000002
【図２】
0003885443.tif 000003
【図３】
0003885443.tif 000004
【図４】
0003885443.tif 000005
【図５】
0003885443.tif 000006
【図６】
0003885443.tif 000007
【図７】
0003885443.tif 000008
【図８】
0003885443.tif 000009
【図９】
0003885443.tif 000010
【図１０】
0003885443.tif 000011